(57)【要約】【課題】蓋体の脱気孔が露出しても封止片が容器内に混入することがなく食品衛生上好適な、密閉包装容器の蓋体および密閉包装容器を提供する。【解決手段】蓋体（５０）に脱気孔（５１）を形成し、脱気孔上に脱気孔を閉鎖する封止片（６０）を接着して設ける。封止片と蓋体との接着部に低温溶融部位（７１）と非低温溶融部位（７２）とを形成し、封止片を蓋体に被着して脱気孔を閉鎖し、加熱時には低温溶融部位のみが溶融し封止片の一部がカールして捲くれ上がり非低温溶融部位を脱落防止部として残して封止片が蓋体から一部剥離して前記脱気孔が露出する。【選択図】図３
0003157394.tif 000002
【実用新案登録請求の範囲】
【請求項１】
容器本体の開口部周縁に形成されたフランジ部においてシールされ容器本体を密閉する密閉包装容器の蓋体であって、
該蓋体に脱気孔を形成し、該脱気孔上に前記脱気孔を閉鎖する封止片を接着して設け、該封止片と前記蓋体との接着部に低温溶融部位と非低温溶融部位とを形成し、前記封止片を前記蓋体に被着して前記脱気孔を閉鎖し、
加熱時には前記低温溶融部位のみが溶融し前記封止片の一部がカールして捲くれ上がり非低温溶融部位を脱落防止部として残して前記封止片が前記蓋体から一部剥離して前記脱気孔が露出することを特徴とする密閉包装容器の蓋体。
【請求項２】
前記蓋体が、前記容器本体の前記開口部周縁に形成された前記フランジ部に対しヒートシール性とイージーピール性を有するシール層と、該シール層に接し前記容器本体と同等のガスバリアー性を有するガスバリアー層と、該ガスバリアー層に接し蓋体としての形状を保持する基体層とを備えなる請求項１記載の密閉包装容器の蓋体。
【請求項３】
容器本体と蓋体とから構成され、前記容器本体は開口部を備え、該開口部の周縁にフランジ部が形成されるとともに前記容器本体の外周部に断熱層が形成され、前記フランジにおいて前記蓋体がシールされて前記容器本体が密閉される密閉包装容器であって、
前記蓋体に脱気孔を形成し、該脱気孔上に前記脱気孔を閉鎖する封止片を接着して設け、該封止片と前記蓋体との接着部に低温溶融部位と非低温溶融部位とを形成し、前記封止片を前記蓋体に被着して前記脱気孔を閉鎖し、
加熱時には前記低温溶融部位のみが溶融し前記封止片の一部がカールして捲くれ上がり非低温溶融部位を脱落防止部として残して前記封止片が前記蓋体から一部剥離して前記脱気孔が露出することを特徴とする密閉包装容器。
【請求項４】
前記蓋体が、前記容器本体の前記開口部周縁に形成された前記フランジ部に対しヒートシール性とイージーピール性を有するシール層と、該シール層に接し前記容器本体と同等のガスバリアー性を有するガスバリアー層と、該ガスバリアー層に接し蓋体としての形状を保持する基体層とを備えなる請求項３記載の密閉包装容器。
【考案の詳細な説明】
【技術分野】
【０００１】本考案は、密閉包装容器の蓋体および密閉包装容器に関するものである。
【背景技術】
【０００２】飲料・食品などの密閉包装体（密閉包装容器）として、飲料などを容器本体に充填した後に容器本体の開口部周縁に形成したフランジ部とフィルム状の蓋体とをヒートシールして容器本体の開口部を密閉包装し、収容された飲料などを取り出すにあたっては蓋体を容器本体から剥離させて開封できるようにした包装容器が提案されている。【０００３】この種の密閉包装体には、収容される飲料などを保存するという観点から高密閉性が要求され、一方、内容物を取り出す観点からは容器本体のフランジ部から蓋体が容易に剥離する易開封性が要求され、この高密閉性と易開封性という相反する特性を同時に満たすことが少なくとも必要とされている。【０００４】ところで、近年電子レンジの普及にともない、加熱して温めて食せる飲料などを収容した包装体を電子レンジで急速加熱して内容物を簡便に加熱調理することが広く行なわれている。【０００５】コーヒー・紅茶・ココアなどの飲料や、スープ類・味噌汁・汁粉・酒などの液体食品を充填し密閉した包装体をそのまま電子レンジにかけると加温と同時に飲料などから発生する水蒸気により包装体の内部圧力が上昇し包装体（特に蓋体）が破裂して内容物が飛散し電子レンジ内を汚染するおそれがある。このため、通常は、電子レンジ利用者は加熱前にフォークなどで蓋体に小孔を開けたり、あるいは蓋体の一部を容器本体から剥離して空気抜きの部分を設けている。
【先行技術文献】
【０００６】
【特許文献１】特許第２５７１５６９号公報
【考案の概要】
【考案が解決しようとする課題】
【０００７】上記のとおり、飲料などを密閉した包装体が電子レンジによる加熱時に破裂しないように空気抜きを図る必要があるが、密閉包装体内の飲料などを食するに当り、（１）その都度空気抜き部を設けることは利用者にとって面倒であり簡便性に欠ける、（２）また、飲料などを充填した包装体の製造段階で包装体の蓋体にあらかじめ空気抜き孔を設けておくことは衛生面や保存性の点から好ましくない、（３）さらに、蓋体に空気抜き孔を設け、この空気抜き孔を被覆体で被覆したとしても電子レンジ加熱により被覆体が蓋体から分離して別体を構成し容器本体内に混入するおそれがあり食品衛生上好ましくない、などの問題点があった。【０００８】したがって、本考案の目的は、食料などを充填し直接電子レンジにかけて加熱可能な包装体として好適な、密閉包装容器の蓋体および密閉包装容器を提供することにある。【０００９】本考案の他の目的は、蓋体の脱気孔が露出しても封止片が容器内に混入することがなく食品衛生上好適な、密閉包装容器の蓋体および密閉包装容器を提供することにある。
【課題を解決するための手段】
【００１０】本考案に係る密閉包装容器の蓋体は、容器本体の開口部周縁に形成されたフランジ部においてシールされ容器本体を密閉する密閉包装容器の蓋体であって、該蓋体に脱気孔を形成し、該脱気孔上に前記脱気孔を閉鎖する封止片を接着して設け、該封止片と前記蓋体との接着部に低温溶融部位と非低温溶融部位とを形成し、前記封止片を前記蓋体に被着して前記脱気孔を閉鎖し、加熱時には前記低温溶融部位のみが溶融し前記封止片の一部がカールして捲くれ上がり非低温溶融部位を脱落防止部として残して前記封止片が前記蓋体から一部剥離して前記脱気孔が露出することを特徴とするものである。【００１１】本考案に係る密閉包装容器は、容器本体と蓋体とから構成され、前記容器本体は開口部を備え、該開口部の周縁にフランジ部が形成されるとともに前記容器本体の外周部に断熱層が形成され、前記フランジにおいて前記蓋体がシールされて前記容器本体が密閉される密閉包装容器であって、前記蓋体に脱気孔を形成し、該脱気孔上に前記脱気孔を閉鎖する封止片を接着して設け、該封止片と前記蓋体との接着部に低温溶融部位と非低温溶融部位とを形成し、前記封止片を前記蓋体に被着して前記脱気孔を閉鎖し、加熱時には前記低温溶融部位のみが溶融し前記封止片の一部がカールして捲くれ上がり非低温溶融部位を脱落防止部として残して前記封止片が前記蓋体から一部剥離して前記脱気孔が露出することを特徴とするものである。【００１２】上記蓋体には、容器本体に形成されたフランジ部とヒートシールするシーラント層を設けることが好ましい。【００１３】さらに、上記蓋体には、容器本体の開口部周縁に形成されたフランジ部に対しヒートシール性とイージーピール性を有するシール層と、該シール層に接し容器本体と同等のガスバリアー性を有するガスバリアー層と、該ガスバリアー層に接し蓋体としての形状を保持する基体層とを備えるようにするとよい。【００１４】上記シール層、ガスバリアー層、基体層の各層間には、層間接着力を保持するため、必要に応じ接着層を形成するとよい【００１５】本考案に係る密閉包装容器の蓋体は単層または多層のフィルムまたはシート（以下、「フィルム等」という）を使用し形成される。フィルム等は、例えば、ポリプロピレン系、ポリエチレン系、ポリアミド（ナイロン）系、ポリエステル系の樹脂の一種または二種以上の材料を用いて単層または積層したフィルム等とすればよい。また、フィルム等は、前記樹脂材料を混合し、あるいは前記樹脂材料のエラストマーから構成してもよい。【００１６】また蓋体は、内容物の保存性を確保し向上させるため、ガスバリアー層が形成されていることが好ましく、蓋体のガスバリアー性は容器本体の持つガスバリアー性と同程度とすることが好ましい。蓋体のガスバリアー層は、例えば、エチレンービニルアルコール共重合体、ポリアミド（ナイロン）、ポリエチレンテレフタレート（ＰＥＴ）などの樹脂材料やアルミ箔やアルミ蒸着層などで形成される。【００１７】蓋体を構成するフィルム等の厚さは、５０〜５００μあればよく、８０〜４００μであることが好ましい。【００１８】蓋体の形状は、フラット状、成形品（落し蓋）のいずれであってもよい。【００１９】封止片の材料とし��は熱収縮性のあるフィルム等を使用する。電子レンジの加熱により包装容器が加熱されて容器本体の内圧及び温度が上昇した時、封止片が収縮し、一部剥離し、脱気孔を開放する。この機能を満たすために、封止片はポリプロピレン（ＰＰ）、ポリエチレン（ＰＥ）、ポリスチレン（ＰＳ）、ポリアミド（ナイロン）、ポリエチレンテレフタレート（ＰＥＴ）、ポリ塩化ビニル（ＰＶＣ）などの樹脂の単層またはこれらの樹脂を組み合わせて共押出した多層フィルムを延伸するか、または単層フィルムを延伸して得られた収縮性フィルムを後工程でラミネート積層して形成してもよい。封止片を形成する熱収縮性フィルムの厚さは２０〜１００μが適当であるが、封止片のガスバリアー性を確保するためにバリアー材をラミネート法で積層したり、あるいは対応する樹脂を共押出延伸してもよい。【００２０】封止片は、縦一軸方向に高延伸し一方向に高収縮する熱収縮性フィルム、あるいは縦・横両軸方向に収縮する熱収縮性フィルムのいずれによっても形成できる。【００２１】封止片と蓋体との接着は、（１）感熱ラベル、粘着ラベルを用いて接着する場合は、封止片における蓋体との接着部分にのみ接着剤が存在するようにし、脱気孔を覆う部分には接着剤が存在しないようにする、（２）低温でヒートシールさせて接着する（ヒートシールタイプ）、（３）蓋体側に封止片を接着するための感圧接着剤、低温融接着剤をコーティングし接着する。すなわち、封止片による脱気孔の閉鎖は、ヒートシールによって封止片を蓋体に被着（接着）させてもよく、またエチレンー酢酸ビニル共重合体（ＥＶＡ）系被着剤、ウレタン系被着剤、ゴム系被着剤、アクリル系被着剤などの被着剤を用いて蓋体に接着させてもよい。【００２２】封止片は、密閉包装容器が電子レンジで加熱されて容器内の温度が上昇し水蒸気の発生にともない容器内の内圧が上がると脱気孔を開放状態に置く弁として機能する。そのとき、通常状態では脱気孔を閉鎖している封止片は熱により収縮し、蓋体の頂面から一部が剥離し浮き上がる。この封止片は、必要に応じ、容器に充填・密閉される内容物の保存性確保のために容器本体と同等のガスバリアー性を有するようにするとよい。さらに封止片は、容器に充填する内容物の保存適正を図るため、容器本体、蓋体と同等のガスバリアー性・保香性を付与するように多層化して形成してもよい。【００２３】蓋体および、封止片に直接印刷したり、グラビア印刷したフィルムをラミネートするなど加飾することも可能である。【００２４】脱気孔の形状は、加熱時に脱気孔を介して密閉包装容器の内圧を円滑に開放することができればよく、例えば平面視において小円孔を取ることができる。また、脱気孔の形成位置は蓋体の中央部に設けることが好ましく、複数個設けてもよい。
【考案の効果】
【００２５】本考案によれば、次の効果を奏する。
（１）食料・食品などを充填し密閉包装した後に電子レンジにて直接加熱可能とし、加熱時に発生する水蒸気により上昇する容器内の内圧を逃がす機能を備え包装体として好適な、密閉包装容器の蓋体および密閉包装容器が得られる。
（２）蓋体の脱気孔が露出しても脱気孔を被覆している封止片が容器内に混入することがなく食品衛生上も好適な、密閉包装容器の蓋体および密閉包装容器を提供することにある。
【図面の簡単な説明】
【００２６】
【図１】本考案に係る密閉包装容器の斜視図である。
【図２】本考案に係る密閉包装容器の構成要素を分離した状態を示す斜視図である。
【図３】本考案に係る密閉包装容器の蓋体を構成している封止片が蓋体から剥離し脱気孔を露出させていることを示す斜視図である。
【図４】本考案に係る密閉包装容器の蓋体の一部を剥離し開口部を形成するとともに、蓋体を構成している封止片が蓋体から剥離し脱気孔を露出させていることを示す斜視図である。
【図５】本考案に係る密閉包装容器の蓋体を構成している封止片の構造を示す断面拡大略図である。
【図６】本考案に係る密閉包装容器を構成する容器本体の右半部を切欠いて示すとともに、容器本体が多層に形成されていることを吹き出しにて示す図である。
【図７】本考案に係る密閉包装容器の蓋体の平面図である。
【考案を実施するための形態】
【実施例】
【００２７】以下は本考案の実施例についての説明である。
本考案に係る密閉包装容器１０は、容器本体１１と蓋体５０とから構成され、容器本体１１は開口部１２を備え、該開口部の周縁にはフランジ部１３が形成されている。このフランジ部１３に前記蓋体５０がシールされ容器本体１１が密閉される。【００２８】前記容器本体１１は、樹脂を多層積層させた多層カップとして形成され、ガスバリアー性を賦与した樹脂材料により形成されている。さらに最外層にはコルゲートラベル、ＰＳＰラベルなどの断熱材により容器内の内容物の熱を遮断する断熱層１５が形成されている（図６参照）。【００２９】前記蓋体５０には、中央に開口した脱気孔５１が形成され、この脱気孔上に脱気孔を閉鎖し感熱ラベルにより形成された封止片６０を接着して設けている。そして、該封止片６０と前記蓋体５０との接着部に低温溶融部位７１と非低温溶融部位７２とを形成し、前記封止片６０を前記蓋体５０に被着して前記脱気孔５１を閉鎖している。【００３０】密閉包装容器１０が加熱されると前記低温溶融部位７１のみが溶融し容器内の内圧が上昇し前記封止片６０と前記蓋体５０との被着が徐々に解除されて前記脱気孔５１は露出し密閉包装容器の内圧が開放される（図３）。このように、前記封止片６０は、開放弁として機能する。【００３１】前記蓋体５０に形成される前記脱気孔５１は、通常時（電子レンジで加熱されていない状態）には前記封止片６０により閉鎖され外部からのゴミや埃の侵入が排除され包装体は密閉状態に置かれる。この密閉包装容器（包装体）１０を電子レンジで加熱すると、容器本体内の温度・内圧が上昇し前記低温溶融部位７１のみが溶融し前記封止片の一部がカールして捲くれ上がり非低温溶融部位７２を脱落防止部として残して前記封止片６０が前記蓋体５０から一部剥離して前記脱気孔５１が露出し内圧が開放される。【００３２】しかして、前記密閉包装容器１０は、食料・食品などを充填し密閉包装した後に電子レンジにて直接加熱可しても、加熱時に発生する水蒸気により上昇する容器内の内圧を逃がす機能を具備している。【００３３】前記封止片６０の前記脱気孔５１を囲成する部位に６０℃程度で溶融する前記低温溶融部位７１と、６０℃程度では溶融しない前記非低温溶融部位（脱落防止部）７２の形成は、前記封止片６０と前記蓋体５０との被着部位における接着力に強弱を設けて形成することができる。すなわち、封止片における脱気孔を囲成する部分に、電子レンジによる加熱にともない剥離する部分と、剥離しないで残存する脱落防止部７２を形成する（図７参照）。かくして、密閉包装容器１０を電子レンジで加熱し前記蓋体５０の脱気孔５１を露出させても前記封止片６０は前記蓋体５０から離脱せず（図３及び図４参照）、前記封止片６０が容器本体内に混入することがない。このため、食品衛生上も安全である。【００３４】前記蓋体５０は、前記容器本体１１の前記開口部１２の周縁に形成された前記フランジ部１３に対し良好なヒートシール性とイージーピール性を有するシール層５３と、該シール層に接し前記容器本体１１と同等のガスバリアー性を有するガスバリアー層５５と、該ガスバリアー層に接し蓋体として成形時の形状を維持するとともに、腰、硬さ、積重ね性を保持する基体層５７とを備えている。さらに、前記シール層５３、ガスバリアー層５５、基体層５７の各層間には接着層５４，５６を形成し層間接着力を保持している（図５参照）。
【符号の説明】
【００３５】１０      密閉包装容器
１１      容器本体
１２      開口部
１３      フランジ部
５０      蓋体
５１      脱気孔
５３      シール層
５４      接着層
５５      ガスバリアー層
５６      接着層
５７      基体層
６０      封止片
７１      低温溶融部位
７２      非低温溶融部位
【図１】
0003157394.tif 000003
【図２】
0003157394.tif 000004
【図３】
0003157394.tif 000005
【図４】
0003157394.tif 000006
【図５】
0003157394.tif 000007
【図６】
0003157394.tif 000008
【図７】
0003157394.tif 000009